(57)【要約】【課題】浴槽が壁体および扉で囲繞されており、扉からの湯水の流出を防止することができる浴室ユニットを提供する。【解決手段】浴室ユニットは、湯を溜める浴槽１と、浴槽１を囲繞するように浴槽１の周縁部１０に配設された壁体および扉２と、扉２を嵌める枠部とを備える。枠部は、周縁部１０に配設された下枠４ｃを有する。第１パッキン５５は、扉２の内障子２ａにおける底部である下框２３と下枠４ｃとの隙間を封止する。第１パッキン５６は、扉２の外障子２ｂにおける底部である下框３３と下枠４ｃとの隙間を封止する。【選択図】図４
2018188837.tif 000002
【特許請求の範囲】
【請求項１】
湯を溜める浴槽と、前記浴槽を囲繞するように前記浴槽の周縁部に配設された壁体および扉と、前記扉を嵌める枠部と、を備える浴室ユニットにおいて、
前記枠部は前記周縁部に配設された下枠を有し、
前記扉の底部と前記下枠との隙間を封止する第１シール部材が設けられていることを特徴とする浴室ユニット。
【請求項２】
前記扉は引き違い戸であり、
前記扉の内障子における戸尻框の底部と前記下枠との隙間を封止し、見込み方向に延びる第２シール部材が設けられていることを特徴とする請求項１に記載の浴室ユニット。
【請求項３】
前記扉の内障子における戸尻框と前記扉の外障子における戸尻框との隙間を封止し、一端部が前記第２シール部材に連なり、上下方向に延びる第３シール部材が設けられており、
前記扉の内障子および外障子における各戸先框と前記扉の縦枠との隙間を封止し、前記下枠から上方に延びる第４シール部材が設けられていることを特徴とする請求項２に記載の浴室ユニット。
【請求項４】
前記第４シール部材は、前記扉の上下方向における中途部まで延びていることを特徴とする請求項３に記載の浴室ユニット。
【発明の詳細な説明】
【技術分野】
【０００１】
本発明は、浴室ユニットに関する。
【背景技術】
【０００２】
近年では、専らシャワー装置から吐出される湯水を浴び、浴槽に溜めた湯に浸かることなく入浴を行う生活様式が見られるようになってきた。このような生活様式に合わせて、シャワー装置から吐出された湯水を受ける浴槽と、該浴槽を囲繞するように配設された壁部とを備えるコンパクトな浴室ユニットが考案されている。
【０００３】
例えば、特許文献１には、バスルームとトイレルームを別部屋にした浴室ユニットが開示されている。この浴室ユニットは、床面の一方側に設けられた浴槽と、該床面の他方側に設けられた便器と、浴槽と便器との間に配設されたサッシとを備える。浴室ユニットは、サッシによってバスルームとトイレルームとに仕切られる。
【先行技術文献】
【特許文献】
【０００４】
【特許文献１】実用新案登録第３１４９１２９号公報
【発明の概要】
【発明が解決しようとする課題】
【０００５】
特許文献１に記載の浴室ユニットは、サッシによってバスルームが仕切られているが、バスルーム内で使用した湯水のトイレルーム側への流出を防止する手段は見られず、湯水がトイレルーム側へ流出する蓋然性があった。浴室ユニットは、バスルーム内で使用した湯水がトイレルーム側へ流出した場合、トイレルーム側に溜まった水を拭き取る手間がかかってしまう。
【０００６】
本発明は、斯かる事情に鑑みてなされたものであり、その目的とするところは、浴槽が壁体および扉で囲繞されており、扉からの湯水の流出を防止することができる浴室ユニットを提供することにある。
【課題を解決するための手段】
【０００７】
本発明に係る浴室ユニットは、湯を溜める浴槽と、前記浴槽を囲繞するように前記浴槽の周縁部に配設された壁体および扉と、前記扉を嵌める枠部と、を備える浴室ユニットにおいて、前記枠部は前記周縁部に配設された下枠を有し、前記扉の底部と前記下枠との隙間を封止する第１シール部材が設けられていることを特徴とする。
【発明の効果】
【０００８】
本発明によれば、浴室ユニットは、浴槽が壁体および扉で囲繞されており、扉からの湯水の流出を防止することができる。
【図面の簡単な説明】
【０００９】
【図１】本発明の実施形態に係る浴室ユニットの外観を示す斜視図である。
【図２】浴室ユニットの正面図である。
【図３】図２に示すＡ−Ａ線による浴室ユニットの断面図である。
【図４】扉の中央部における縦断面図である。
【図５】車輪部の外観を示す斜視図である。
【図６】下枠の端部における斜視図である。
【図７】内障子の戸尻框底部における斜視図である。
【図８】内障子の戸尻框底部における端面図である。
【図９】図２に示すＢ−Ｂ線による枠部の断面図である。
【図１０】扉と枠部との間のパッキンによる封止箇所を説明するための模式図である。
【発明を実施するための形態】
【００１０】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態）
図１は本発明の実施形態に係る浴室ユニット１００の外観を示す斜視図、図２は浴室ユニット１００の正面図、図３は図２に示すＡ−Ａ線による浴室ユニット１００の断面図である。浴室ユニット１００は、浴槽１、扉２、枠部４、壁部６１および排水部７等を備える。浴槽１は、平面視矩形状をなし、湯を溜めることができる深皿状であり、底部１１に排水口１２を有する。浴槽１の下方には、排水口１２に接続される排水部７が設けられている。浴槽１は、周縁部１０に配設された壁部６１および扉２によって周囲が覆われて囲繞されており、上方を天井６２によって覆われている。
【００１２】
浴槽１は、直方体状のフレーム構造体である架台８０の上部に周縁部１０が支持されており、該架台８０の内側に収容される。架台８０は、下部の四隅等に脚部８０ａを有し、脚部８０ａによって室内の床１１１に載置されている。尚、浴室ユニット１００は、浴槽１の上方の壁部６１に配設されるシャワー装置および吐水装置等を備えるが、これらの装置については図示を省略する。
【００１３】
壁部６１は、浴槽１の長手方向に沿う一側に配設された壁体６１ａ、浴槽１の長手方向の両端部であって壁体６１ａの両側に配設される壁体６１ｂおよび６１ｃで構成されている。扉２は、浴槽１の長手方向に沿う他側に配設されており、壁体６１ａに対向する。扉２は、引き違い戸であり、内障子２ａおよび外障子２ｂともスライドさせることにより開閉することができる。扉２は、浴槽１の周縁部１０および天井６２の間に設けられており、枠部４内に嵌め込まれている。
【００１４】
内障子２ａは、長方形状に組み立てられた戸先框２１、戸尻框２２、下框２３および上框２４の内側にガラス製または樹脂製等の板２０を嵌め込んで構成されている。また、外障子２ｂは、長方形状に組み立てられた戸先框３１、戸尻框３２、下框３３および上框３４の内側にガラス製または樹脂製等の板３０を嵌め込んで構成されている。
【００１５】
枠部４は、左縦枠４ａ、右縦枠４ｂ、下枠４ｃ、上枠４ｄおよび下端枠４ｅを備え、浴槽１の長手方向に沿う他側に配設されている。左縦枠４ａおよび右縦枠４ｂは、浴槽１の隅部に配設されており、浴槽１の周縁部１０の下方から上方に亘って直線状に延びている。左縦枠４ａおよび右縦枠４ｂの下端部は、浴室ユニット１００を載置する床１１１に接触または若干の隙間が空く程度に床１１１に近接している。左縦枠４ａおよび右縦枠４ｂは、上端側が、ほぼ天井６２の高さ位置まで延びている。下枠４ｃは、浴槽１の周縁部１０上に添うように、左縦枠４ａおよび右縦枠４ｂ間に設けられている。上枠４ｄは、左縦枠４ａおよび右縦枠４ｂの上端部に連結されている。また、下端枠４ｅは、左縦枠４ａおよび右縦枠４ｂの下端部に連結されている。
【００１６】
左縦枠４ａ、右縦枠４ｂ、下枠４ｃおよび下端枠４ｅで囲まれる領域には、着脱可能にエプロン部６３が嵌め込まれており、扉２側の浴槽１の側部を遮蔽する。エプロン部６３を取り外すことで、浴槽１の側方から浴槽１裏の排水部７の点検および修理等を行うことができる。尚、浴室ユニット１００は、浴槽１の側方に洗い場床が設けられておらず、浴槽１内で入浴が行われるものである。
【００１７】
排水部７は、トラップ部７１、オーバーフロー配管７２および排水管接続部７３を備え、床１１１と浴槽１との間に設けられる。トラップ部７１は、浴槽１の排水口１２に連結される受け口７１ａを有し、浴槽１からの排水を排水管接続部７３へ流す。トラップ部７１は、内部に水が溜まった状態を保ち、排水経路を排水で封じる。オーバーフロー配管７２は、一端部がトラップ部７１に連結され、他端部が浴槽１に設けられたオーバーフロー栓（図示略）に連結される。
【００１８】
排水管接続部７３は、一端部がトラップ部７１に連結され、他端部に排水配管が接続され、該排水配管は建築側の排水口に接続される。排水管接続部７３は、トラップ部７１からの排水を建築側の排水口へ流す。排水管接続部７３は、十分な排水量を確保するために、より内径寸法が大きい排水配管が接続できるものとする必要があり、例えばＡ５０（外径約６０ｍｍ）サイズの排水配管が接続できるものとする。排水管接続部７３は、トラップ部７１側から建築側の排水口へ向けて下降する勾配をつけてある。排水管接続部７３は、例えば１／５０の勾配をつけてあり、浴槽１の下方で１ｍの距離に亘って配管接続したときにトラップ部７１側と建築側の排水口側との高低差が２０ｍｍとなる。
【００１９】
図４は扉２の中央部における縦断面図であり、図５は車輪部３５の外観を示す斜視図である。図４において、紙面の左右方向は見込み方向であり、紙面に垂直な方向は見付け方向である。内障子２ａは、戸先框２１および戸尻框２２の上部に取り付けられた車輪部２５を有している。車輪部２５は、戸先框２１および戸尻框２２の上部に固定された本体部２５ａと、本体部２５ａに見込み方向の軸回りに回転可能に支持される車輪２５ｂとを有する。車輪２５ｂは、上枠４ｄに設けたレール部５１に載せられている。レール部５１は、細長い板状をなし、見込み方向に車輪２５ｂが載せられる程度の幅寸法を有し、上枠４ｄの全長に亘って延びる。内障子２ａは、レール部５１によって支持されており、車輪２５ｂが回転しながらレール部５１を走行することによって開閉する。
【００２０】
同様に、外障子２ｂは、戸先框３１および戸尻框３２の上部に取り付けられた車輪部３５を有している。車輪部３５は、戸先框３１および戸尻框３２の上部に固定された本体部３５ａと、本体部３５ａに見込み方向の軸回りに回転可能に支持される車輪３５ｂとを有する。車輪３５ｂは、上枠４ｄに設けたレール部５２に載せられている。レール部５２は、細長い板状をなし、見込み方向に車輪３５ｂが載せられる程度の幅寸法を有し、上枠４ｄの全長に亘って延びる。外障子２ｂは、レール部５２によって支持されており、車輪３５ｂが回転しながらレール部５２を走行することによって開閉する。
【００２１】
内障子２ａの下框２３は、下枠４ｃに案内される被案内板２６を有する。被案内板２６は、見付け方向に垂直な断面が逆さＬ字状をなし、下框２３の全長に亘って細長く延びる。被案内板２６は、Ｌ字状の水平な一辺側が下框２３の底部に取り付けられており、鉛直に配設される他辺側が後述する下枠４ｃの案内溝５４ｃに嵌め込まれる。外障子２ｂの下框３３は、下枠４ｃに案内される被案内板３６を有する。被案内板３６は、見付け方向に垂直な断面が逆さＬ字状をなし、下框３３の全長に亘って細長く延びる。被案内板３６は、Ｌ字状の水平な一辺側が下框３３の底部に取り付けられており、鉛直に配設される他辺側が後述する下枠４ｃの案内溝５４ｄに嵌め込まれる。
【００２２】
下枠４ｃは、基台部５３、並びに、内障子２ａおよび外障子２ｂを案内するガイド部５４を有する。浴槽１の扉２側の周縁部１０下方には、周縁部に沿って延びるフレーム体８０ｂが設けられており、フレーム体８０ｂにアングル部材８２が固定されている。アングル部材８２は、見付け方向の断面が横Ｌ字状をなし、左縦枠４ａから右縦枠４ｂに亘って延びる。基台部５３は、アングル部材８２に固定され、アングル部材８２と扉２側の浴槽１の周縁部１０とを跨ぐように設けられており、左縦枠４ａから右縦枠４ｂに亘って延びる。
【００２３】
基台部５３は、見込み方向における浴槽１の周縁部１０側に形成される座部５３ａ、見込み方向における周縁部１０側の反対側に形成される外縁部５３ｂ、およびガイド部５４を把持する把持部５３ｃを有する。座部５３ａの上面は、平坦状であり、浴槽１側に向うにつれて下降する緩い勾配をもつ。この勾配によって、座部５３ａの上面に降りかかった水は、浴槽１の周縁部１０へ流れ落ちる。外縁部５３ｂは、座部５３ａよりも一段高く形成されており、水が外部に流れ出ないように堰き止める。外縁部５３ｂは、浴槽１側と反対側の角部５３ｄが上方に対して凸状に膨らみを持った形状としてある。把持部５３ｃは、座部５３ａと外縁部５３ｂの間に形成されており、上方に開口する凹所をなす。
【００２４】
ガイド部５４は、脚部５４ａ、対向面部５４ｂ、案内溝５４ｃおよび案内溝５４ｄを有する。脚部５４ａは、基台部５３の把持部５３ｃに上方から差し込まれ、把持部５３ｃによって把持されている。ガイド部５４は、脚部５４ａを把持部５３ｃに差し込むことで基台部５３に取り付けられ、脚部５４ａを把持部５３ｃから引き抜くようにして取り外すことができる。
【００２５】
対向面部５４ｂは、内障子２ａの下框２３および外障子２ｂの下框３３の底部に対向するガイド部５４の上面として形成されている。対向面部５４ｂによって形成されるガイド部５４の上面は、平坦状であり、浴槽１側に向うにつれて下降する緩い勾配をもつ。この勾配によって、ガイド部５４の上面に降りかかった水は、浴槽１の周縁部１０へ流れ落ちる。案内溝５４ｃは、内障子２ａの下框２３に設けた被案内板２６に対応する位置において、対向面部５４ｂを穿つようにして左縦枠４ａから右縦枠４ｂに亘って設けられている。案内溝５４ｄは、外障子２ｂの下框３３に設けた被案内板３６に対応する位置において、対向面部５４ｂを穿つようにして左縦枠４ａから右縦枠４ｂに亘って設けられている。案内溝５４ｃおよび５４ｄの側面部には、水抜き孔（図示略）が設けられている。
【００２６】
案内溝５４ｃの開口部の縁には第１パッキン５５が、案内溝５４ｄの開口部の縁には第１パッキン５６が設けられている。第１パッキン５５は、内障子２ａの下框２３に設けた被案内板２６に接触する。第１パッキン５６は、外障子２ｂの下框３３に設けた被案内板３６に接触する。第１パッキン５５および第１パッキン５６は、左縦枠４ａから右縦枠４ｂに亘って設けられるが、後述するように、ガイド部５４の見付け方向の両端部に配設されるスペーサ５７には設けられていない。第１パッキン５５および第１パッキン５６は、案内溝５４ｃおよび案内溝５４ｄにおける隙間を塞ぐことで、浴室ユニット１００内から扉２を通して外部へ水が流出することを防ぐ。第１パッキン５５および第１パッキン５６は、見込み方向に突起して、案内溝５４ｃおよび案内溝５４ｄを部分的に覆うように配設されている。
【００２７】
対向面部５４ｂは、２つの案内溝５４ｃによって３つの部分に隔てられるが、各部分によって形成されるガイド部５４の上面の面積は、案内溝５４ｃの開口面積よりも広い。また、第１パッキン５５および第１パッキン５６が、案内溝５４ｃおよび案内溝５４ｄの開口部の縁から見込み方向に突起するため、案内溝５４ｃの開口面積はより小さくなる。
【００２８】
図６は下枠４ｃの端部における斜視図である。スペーサ５７は、ガイド部５４の案内溝５４ｃに連なる案内溝５７ｃ、および左縦枠４ａ側を切り欠いた切欠部５７ｄを有し、基台部５３に着脱可能に取り付けられている。スペーサ５７の案内溝５７ｃは、ガイド部５４の案内溝５４ｃよりも開口幅を狭くしてあり、パッキンは設けられていない。切欠部５７ｄは、内障子２ａの浴槽１側と反対側である外側に設けられている。スペーサ５７は、パッキンが設けられていないので、案内溝５７ｃに湯水が流れ込む可能性がある。案内溝５７ｃに流れ込んで、案内溝５７ｃから外側へ流出した水は、切欠部５７ｄから基台部５３の座部５３ａに流れ落ち、浴槽１側へ戻される。尚、スペーサ５７は、基台部５３から取り外すことで、ガイド部５４の端部に手指を掛けてガイド部５４を取り外す作業を行うために設けられている。尚、ガイド部５４は、見付け方向に概ね等分に３分割された構成となっており、各部分の繋ぎ目２箇所に薄板状のカバー片（図示略）を設けて連結されており、カバー片の箇所で折り曲げ易くなっている。ガイド部５４を取り外す際には、上述のようにスペーサ５７を基台部５３から取り外し、ガイド部５４の一部分の端部を上方へ持ち上げ、繋ぎ目の箇所で上方へ屈曲させ、更に、ガイド部５４の残余の部分を内障子２ａ及び外障子２ｂ下から見付け方向へ引き抜くようにする。
【００２９】
図７は内障子２ａの戸尻框２２底部における斜視図であり、図８は内障子２ａの戸尻框２２底部における端面図である。戸尻框２２の底部には、キャップ５８が取り付けられている。キャップ５８は、板状をなし、底部から突起してガイド部５４の案内溝５４ｃに嵌め合わされる突起部５８ａを有する。キャップ５８の底部には、戸尻框２２の見込み方向の全幅に亘って第２パッキン５８ｂが設けられている。第２パッキン５８ｂは、突起部５８ａ部分において、ガイド部５４の案内溝５４ｃにおける内側面および底面、並びに第１パッキン５５に接触する。第２パッキン５８ｂは、ガイド部５４の対向面部５４ｂに接触する。第２パッキン５８ｂは、外障子２ｂ側において、被案内板３６に接触し、後述する第３パッキン２２ａに連なる。
【００３０】
図９は図２に示すＢ−Ｂ線による枠部４の断面図である。左縦枠４ａは、内側左縦枠４１、外側左縦枠４２、アングルピース部４３および第４パッキン４４ａを有する。内側左縦枠４１は、角筒状をなし、浴槽１の周縁部１０の上方に重なるように配設されており、周縁部１０の隅部に設けられる上下方向の支柱８１に固定されている。内側左縦枠４１は、浴槽１の周縁部１０から天井６２に亘って形成されている。
【００３１】
外側左縦枠４２は、角筒状をなし、内側左縦枠４１に見込み方向に連続して形成されており、浴槽１の周縁部１０の外側に配設されている。外側左縦枠４２は、左縦枠４ａの全長に亘って形成されている。アングルピース部４３は、外側左縦枠４２に連続し、外側左縦枠４２の外側に見込み方向に突き出すように設けられている。アングルピース部４３は、外側左縦枠４２と同様に左縦枠４ａの全長に亘って形成されている。
【００３２】
第４パッキン４４ａは、左縦枠４ａの見込み方向の中央部から見付け方向に突起する壁部４４に取り付けられている。第４パッキン４４ａは、内障子２ａの浴槽１側でなく左縦枠４ａの見込方向の中央部側に配設されている。壁部４４は、内側左縦枠４１と同様に、浴槽１の周縁部１０から天井６２に亘って形成されている。第４パッキン４４ａは、下枠４ｃから上枠４ｄに亘って配設されていても良いし、下枠４ｃから、下枠４ｃと上枠４ｄとの間の中央部に亘って配設されていても良い。第４パッキン４４ａは、内障子２ａの戸先框２１の先端部に接触する。
【００３３】
同様に、右縦枠４ｂは、内側右縦枠４６、外側右縦枠４７、アングルピース部４８および第４パッキン４９ａを有する。内側右縦枠４６は、角筒状をなし、浴槽１の周縁部１０の上方に重なるように配設されており、周縁部１０の隅部に設けられる上下方向の支柱８１に固定されている。内側右縦枠４６は、浴槽１の周縁部１０から天井６２に亘って形成されている。
【００３４】
外側右縦枠４７は、角筒状をなし、内側右縦枠４６に見込み方向に連続して形成されており、浴槽１の周縁部１０の外側に配設されている。外側右縦枠４７は、右縦枠４ｂの全長に亘って形成されている。アングルピース部４８は、外側右縦枠４７に連続し、外側右縦枠４７の外側に見込み方向に突き出すように設けられている。アングルピース部４８は、外側右縦枠４７と同様に右縦枠４ｂの全長に亘って形成されている。
【００３５】
第４パッキン４９ａは、右縦枠４ｂの見込み方向の中央部から見付け方向に突起する壁部４９に取り付けられている。壁部４９は、内側右縦枠４６と同様に、浴槽１の周縁部１０から天井６２に亘って形成されている。第４パッキン４９ａは、下枠４ｃから上枠４ｄに亘って配設されていても良いし、下枠４ｃから、下枠４ｃと上枠４ｄとの間の中央部に亘って配設されていても良い。第４パッキン４９ａは、外障子２ｂの戸先框３１の先端部に接触する。
【００３６】
上述のように第４パッキン４４ａが内障子２ａの浴槽１側でなく左縦枠４ａの見込み方向の中央部に配設され、第４パッキン４９ａも右縦枠４ｂの見込み方向の中央部に配置されていることで、枠部４全体の見込み方向の幅寸法を小さく抑えることができる。
【００３７】
内障子２ａの戸尻框２２は、見込み方向の端部において、外障子２ｂの戸尻框３２側の側面に第３パッキン２２ａを有する。第３パッキン２２ａは、戸尻框３２の戸尻框２２側の側面に接触し、下端部が第２パッキン５８ｂに連なる。第３パッキン２２ａは、下枠４ｃから上枠４ｄに亘って配設されていても良いし、下枠４ｃから、下枠４ｃと上枠４ｄとの間の中央部に亘って配設されていても良い。
【００３８】
次に浴室ユニット１００の作用について説明する。ユーザは扉２を開閉して浴室内外への移動を行う。内障子２ａまたは外障子２ｂを開状態としたときに、扉２側における浴槽１の周縁部１０には、下枠４ｃのガイド部５４が現れる。ガイド部５４は、上述のように対向面部５４ｂによってガイド部５４の上面が形成されており、ユーザが手を着き易く、足を載せ易いので、浴室内外への移動が容易となる。また、ユーザは、下枠４ｃ部分にガイド部５４の上面が形成されていることを目視により認識することができ、跨ぎ易いという印象を受け得る。
【００３９】
下枠４ｃにおける基台部５３の外縁部５３ｂは、ガイド部５４の上面とほぼ同じ高さの上面を有することで、ユーザがさらに手を着き易く、足を載せ易くなるので、浴室内外への移動がさらに容易となる。また、ユーザは、下枠４ｃにおいて広範囲な面が形成されていることを認識することができ、跨ぎ易いという印象をより受け易くなる。
【００４０】
下枠４ｃにおいて、第１パッキン５５および第１パッキン５６は、見込み方向に突起し、案内溝５４ｃおよび案内溝５４ｄを部分的に覆うように配設されている。このため、案内溝５４ｃおよび案内溝５４ｄが第１パッキン５５および第１パッキン５６によって部分的に塞がってガイド部５４の上面が広くなり、ユーザがさらに手を着き易く、足を載せ易くなるので、浴室内外への移動がさらに容易となる。また、ユーザは、下枠４ｃにおいてさらに広範囲な面が形成されていることを認識することができ、跨ぎ易いという印象をより受け易くなる。
【００４１】
図１０は、扉２と枠部４との間のパッキンによる封止箇所を説明するための模式図である。図１０において、パッキンが設けられている箇所を太い実線で示しており、また紙面に垂直な方向にパッキンが設けられている箇所は黒丸印で示している。
【００４２】
扉２の内障子２ａにおける底部である下框２３と下枠４ｃとの間の隙間は、下框２３の被案内板２６と、下枠４ｃの案内溝５４ｃとの間に生じる可能性があるが、第１パッキン５５によって封止される。また、扉２の外障子２ｂにおける底部である下框３３と下枠４ｃとの間の隙間は、下框３３の被案内板３６と、下枠４ｃの案内溝５４ｄとの間に生じる可能性があるが、第１パッキン５６によって封止される。これによって、浴室ユニット１００は、下枠４ｃの大部分において、扉２と枠部４との間の隙間を封止することができ、浴室ユニット１００内で使用する湯水が扉２から外部へ流出することを防止することができる。
【００４３】
下枠４ｃの端部には、スペーサ５７を設けているため、スペーサ５７幅の分、扉２の底部と下枠４ｃとの間に隙間が生じるが、上述のように、スペーサ５７に設けた切欠部５７ｄから基台部５３の座部５３ａへと流出した湯水が流れ込み、浴槽１側へ戻るので、浴室ユニット１００の外部への湯水の流出を防止することができる。
【００４４】
扉２の底部と下枠４ｃとの間の隙間は、内障子２ａの戸尻框２２の底部において生じる可能性があるが、第２パッキン５８ｂによって封止される。第２パッキン５８ｂは、見込み方向に沿って設けられ、案内溝５４ｃの内側面および底面に接触し、第１パッキン５５および外障子２ｂの被案内板３６に連なる。これによって、浴室ユニット１００は、扉２と下枠４ｃとの間における隙間の封止効果を高めることができる。
【００４５】
内障子２ａの戸尻框２２と外障子２ｂの戸尻框３２との間に隙間が生じる可能性があるが、第３パッキン２２ａによって封止される。第３パッキン２２ａは、下端部が第２パッキン５８ｂに連なる。第３パッキン２２ａは、図１０に太い実線で示すように下枠４ｃから、下枠４ｃと上枠４ｄとの間の中央部、即ち扉２の上下方向における中央部に亘って配設されていても良いし、図１０に点線で示すように延長して、下枠４ｃから上枠４ｄに亘って配設されていても良い。これによって、浴室ユニット１００は、扉２内に生じる隙間を介して湯水が外部へ流出することを防止することができる。
【００４６】
また、第３パッキン２２ａを下枠４ｃから、扉２の上下方向における中央部に亘って配設することにより、中央部から上枠４ｄまでの間の隙間を、換気時に空気が吸引される吸気口とすることができる。これによって、浴室ユニット１００は、入浴中のユーザに外気が当たり難くい位置に吸気口を設けることができる。
【００４７】
内障子２ａの戸先框２１と左縦枠４ａとの間、および外障子２ｂの戸先框３１と右縦枠４ｂとの間に隙間が生じる可能性があるが、第４パッキン４４ａおよび第４パッキン４９ａによって封止される。第４パッキン４４ａおよび第４パッキン４９ａは、図１０に太い実線で示すように下枠４ｃから、下枠４ｃと上枠４ｄとの間の中央部、即ち扉２の上下方向における中央部に亘って配設されていても良いし、図１０に点線で示すように延長して、下枠４ｃから上枠４ｄに亘って配設されていても良い。これによって、浴室ユニット１００は、扉２と、左縦枠４ａおよび右縦枠４ｂとの間に生じる隙間を介して湯水が外部へ流出することを防止することができる。
【００４８】
また、第４パッキン４４ａおよび第４パッキン４９ａを下枠４ｃから、扉２の上下方向における中央部に亘って配設することにより、中央部から上枠４ｄまでの間の隙間を、換気時に空気が吸引される吸気口とすることができる。これによって、浴室ユニット１００は、入浴中のユーザに外気が当たり難くい位置に吸気口を設けることができる。
【００４９】
次に、実施形態の浴室ユニット１００の特徴を説明する。
本発明の実施形態に係る浴室ユニット１００は、湯を溜める浴槽１と、浴槽１を囲繞するように浴槽１の周縁部１０に配設された壁体６１ａ、６１ｂおよび６１ｃ、並びに扉２と、扉２を嵌める枠部４とを備える。枠部４は、周縁部１０に配設された下枠４ｃを有する。第１パッキン５５は、扉２の内障子２ａにおける底部である下框２３と下枠４ｃとの隙間を封止する。第１パッキン５６は、扉２の外障子２ｂにおける底部である下框３３と下枠４ｃとの隙間を封止する。これによって、浴室ユニット１００は、下枠４ｃの大部分において、扉２と枠部４との間の隙間を封止することができ、浴室ユニット１００内で使用する湯水が扉２から外部へ流出することを防止することができる。
【００５０】
また、扉２は引き違い戸であり、扉２の内障子２ａにおける戸尻框２２の底部と下枠４ｃとの隙間を封止し、見込み方向に延びる第２パッキン５８ｂが設けられている。これにより、浴室ユニット１００は、扉２と下枠４ｃとの間における隙間の封止効果を高めることができる。
【００５１】
浴室ユニット１００には、扉２の内障子２ａにおける戸尻框２２と、扉２の外障子２ｂにおける戸尻框３２との隙間を封止し、一端部が第２パッキン５８ｂに連なり、上下方向に延びる第３パッキン２２ａが設けられている。また浴室ユニット１００には、内障子２ａの戸先框２１および外障子２ｂの戸先框３１と、扉２の縦枠である左縦枠４ａおよび右縦枠４ｂとの隙間を封止し、下枠４ｃから上方に延びる第４パッキン４４ａおよび第４パッキン４９ａが設けられている。これにより、浴室ユニット１００は、扉２と、左縦枠４ａおよび右縦枠４ｂとの間に生じる隙間、並びに扉２内に生じる隙間を介して湯水が外部へ流出することを防止することができる。
【００５２】
また、第４パッキン４４ａおよび第４パッキン４９ａは、扉２の上下方向における中途部まで延びている。これにより、浴室ユニットは、中央部から上枠４ｄまでの間の隙間を、換気時に空気が吸引される吸気口とすることができ、入浴中のユーザに外気が当たり難くすることができる。
【００５３】
上述の実施形態においては、扉２として引き違い戸の例を示したが、扉２は引き戸等であってもよい。また、枠部４は、扉２の縦および横の寸法に応じた大きさとしてもよい。上述の実施形態において、左縦枠４ａおよび右縦枠４ｂは、上端側がほぼ天井６２の高さ位置まで延びている例を示したが、扉２の縦方向の寸法に応じた長さ寸法で浴槽１の周縁部１０から上方に延びていればよく、天井６２の高さ位置まで延びていなくてもよい。同様に、下枠４ｃ、上枠４ｄおよび下端枠４ｅは、扉２の横方向の寸法に応じた長さ寸法とすれば良い。下枠４ｃは、浴槽１の周縁部１０において両端部間の全体に亘って延びる他、両端部間より狭く部分的に設けられていても良く、上枠４ｄおよび下端枠４ｅも下枠４ｃに合わせた寸法とすれば良い。
【００５４】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５５】
１  浴槽、  １０  周縁部、  ２  扉、  ２ａ  内障子、  ２ｂ  外障子、
２１  戸先框、  ２２  戸尻框、  ２２ａ  第３パッキン（第３シール部材）、
３１  戸先框、  ３２  戸尻框、  ４  枠部、  ４ａ  左縦枠（縦枠）、
４ｂ  右縦枠（縦枠）、  ４ｃ  下枠、
４４ａ，４９ａ  第４パッキン（第４シール部材）、
５５，５６  第１パッキン（第１シール部材）、
５８ｂ  第２パッキン（第２シール部材）、  ６１ａ，６１ｂ，６１ｃ  壁体、
１００  浴室ユニット。
【図１】
2018188837.tif 000003
【図２】
2018188837.tif 000004
【図３】
2018188837.tif 000005
【図４】
2018188837.tif 000006
【図５】
2018188837.tif 000007
【図６】
2018188837.tif 000008
【図７】
2018188837.tif 000009
【図８】
2018188837.tif 000010
【図９】
2018188837.tif 000011
【図１０】
2018188837.tif 000012